【手続補正書】
【提出日】平成30年1月15日(2018.1.15)
【手続補正１】
【補正対象書類名】特許請求の範囲
【補正対象項目名】全文
【補正方法】変更
【補正の内容】
【特許請求の範囲】
【請求項１】
レギュレータの出力電圧に対応するフィードバック電圧を基準電圧と比較し、かつ誤差電圧を出力するように構成される誤差増幅器と、
制御端子と、第1の端子と、第2の端子とを有し、かつ第1の極性である第1のトランジスタであって、前記第1のトランジスタの前記制御端子は入力信号として前記誤差信号を受信する、第1のトランジスタと、
制御端子と、第1の端子と、第2の端子とを有し、かつ第2の極性である第2のトランジスタであって、前記第2のトランジスタの前記制御端子は前記第1のトランジスタの前記第2の端子に接続される、第2のトランジスタと、
前記第1のトランジスタの前記第1の端子に接続される第1の端子と、前記第2のトランジスタの前記第1の端子に接続される第2の端子とを有する電圧シフト回路であって、前記電圧シフト回路の前記第2の端子からの電流が増加するにつれて、前記電圧シフト回路の前記第1の端子と前記電圧シフト回路の前記第2の端子との間の電圧が増加する、電圧シフト回路と、
制御端子と、第1の端子と、第2の端子とを有するパストランジスタであって、前記制御端子は前記第2のトランジスタの前記第1の端子に接続され、前記電圧シフト回路の前記第2の端子は、前記パストランジスタの前記第2の端子における前記レギュレータの前記出力電圧を調整するように、前記パストランジスタの前記制御端子を駆動する、パストランジスタと
を備える、回路。
【請求項２】
前記第1のトランジスタは、ゲートと、ソースと、ドレインとを有するMOSトランジスタを備え、前記第1のトランジスタの前記ゲートは前記入力信号を受信し、
前記第2のトランジスタは、ベースと、エミッタと、コレクタとを有するバイポーラトランジスタを備え、前記バイポーラトランジスタの前記ベースはMOSトランジスタの前記ドレインに結合され、
前記電圧シフト回路の前記第1の端子は前記第1のMOSトランジスタの前記ソースに結合され、前記電圧シフト回路の前記第2の端子は前記バイポーラトランジスタの前記コレクタに結合される、
請求項1に記載の回路。
【請求項３】
前記電圧シフト回路は、前記第1のトランジスタの前記第1の端子に結合される第1の端子と、前記第2のトランジスタの前記第1の端子に結合される第2の端子とを有する抵抗器を備える、請求項1に記載の回路。
【請求項４】
前記第1のトランジスタは、ゲートと、ソースと、ドレインとを有するMOSトランジスタを備え、前記第1のトランジスタの前記ゲートは前記入力信号を受信し、
前記第2のトランジスタは、ベースと、エミッタと、コレクタとを有するバイポーラトランジスタを備え、前記バイポーラトランジスタの前記ベースはMOSトランジスタの前記ドレインに結合され、
前記抵抗器の前記第1の端子は前記MOSトランジスタの前記ソースに結合され、前記抵抗器の前記第2の端子は前記バイポーラトランジスタの前記コレクタに結合される、
請求項3に記載の回路。
【請求項５】
前記電圧シフト回路は、制御端子と、第1の端子と、第2の端子とを有する第3のトランジスタを備え、前記第3のトランジスタの前記制御端子は前記第1のトランジスタの前記制御端子に結合され、前記第3のトランジスタの前記第1の端子は前記第1のトランジスタの前記第1の端子に結合され、前記第3のトランジスタの前記第2の端子は前記第2のトランジスタの前記第1の端子に結合される、請求項1に記載の回路。
【請求項６】
前記第1のトランジスタは、ゲートと、ソースと、ドレインとを有するMOSトランジスタを備え、前記第1のトランジスタの前記ゲートは前記入力信号を受信し、
前記第2のトランジスタは、ベースと、エミッタと、コレクタとを有するバイポーラトランジスタを備え、前記バイポーラトランジスタの前記ベースはMOSトランジスタの前記ドレインに結合され、
前記第3のトランジスタの前記第1の端子は前記MOSトランジスタの前記ソースに結合され、前記第3のトランジスタの前記第2の端子は前記バイポーラトランジスタの前記コレクタに結合される、
請求項5に記載の回路。
【請求項７】
前記第3のトランジスタはネイティブMOSトランジスタである、請求項5に記載の回路。
【請求項８】
前記パストランジスタの前記第2の端子に流れる電流に比例する、前記電圧シフト回路への電流を生成する適応バイアス電流ソースをさらに備える、請求項1に記載の回路。
【請求項９】
前記電圧シフト回路の前記第1の端子と前記電圧シフト回路の前記第2の端子との間の前記電圧は、前記電圧シフト回路に流れる前記電流が増加するにつれて増加し、
前記電圧シフト回路の前記第1の端子と前記電圧シフト回路の前記第2の端子との間の前記電圧は、前記電圧シフト回路に流れる前記電流が減少するにつれて減少する、
請求項1に記載の回路。
【請求項１０】
誤差増幅器において、誤差電圧を出力するようにレギュレータの出力電圧に対応するフィードバック電圧を基準電圧と比較するステップと、
第1のトランジスタの制御端子において入力信号として前記誤差電圧を受信するステップであって、前記第1のトランジスタは、制御端子と、第1の端子と、第2の端子とを有し、かつ第1の極性である、ステップと、
前記第1のトランジスタの前記第2の端子からの電流を第2のトランジスタの制御端子に結合するステップであって、前記第2のトランジスタは、制御端子と、第1の端子と、第2の端子とを有し、かつ第2の極性である、ステップと、
電圧シフト回路において電流を生成するステップであって、前記電圧シフト回路は、前記第1のトランジスタの前記第1の端子に接続される第1の端子と、前記第2のトランジスタの前記第1の端子に接続される第2の端子とを有する、ステップと、
前記電圧シフト回路の前記第1の端子と前記電圧シフト回路の前記第2の端子との間の前記第1のトランジスタの前記第1の端子における電圧をシフトするステップであって、前記電圧シフト回路の前記第2の端子における電圧は、前記電圧シフト回路の前記出力からの電流が増加するにつれて減少する、ステップと、
パストランジスタの第2の端子において前記出力電圧を調整するステップであって、前記パストランジスタは制御端子と第1の端子とをさらに含み、前記制御端子は前記第2のトランジスタの前記第1の端子に接続され、前記電圧シフト回路の前記第2の端子は、前記レギュレータの前記出力電圧を調整するように、前記パストランジスタの前記制御端子を駆動する、ステップと
を含む、方法。
【請求項１１】
前記電圧シフト回路は、制御端子と、第1の端子と、第2の端子とを有する第3のトランジスタを備え、前記第3のトランジスタの前記制御端子は前記第1のトランジスタの前記制御端子に結合され、前記第3のトランジスタの前記第1の端子は前記第1のトランジスタの前記第1の端子に結合され、前記第3のトランジスタの前記第2の端子は前記第2のトランジスタの前記第1の端子に結合される、請求項10に記載の方法。
【請求項１２】
前記第3のトランジスタはネイティブMOSトランジスタである、請求項11に記載の方法。
【請求項１３】
前記パストランジスタの前記第2の端子からの電流に比例する電流を、前記電圧シフト回路の前記第1の端子に結合するステップをさらに含み、前記電圧シフト回路の前記第2の端子のおける前記電圧は、前記パストランジスタの前記第2の端子からの前記電流が増加するにつれて減少する、請求項10に記載の方法。
【請求項１４】
前記電圧シフト回路の前記第1の端子と前記電圧シフト回路の前記第2の端子との間の前記電圧は、前記電圧シフト回路に流れる前記電流が増加するにつれて増加し、
前記電圧シフト回路の前記第1の端子と前記電圧シフト回路の前記第2の端子との間の前記電圧は、前記電圧シフト回路に流れる前記電流が減少するにつれて減少する、
請求項10に記載の方法。
【請求項１５】
前記第1のトランジスタは、ゲートと、ソースと、ドレインとを有するMOSトランジスタを備え、前記第1のトランジスタの前記ゲートは前記入力信号を受信し、
前記第2のトランジスタは、ベースと、エミッタと、コレクタとを有するバイポーラトランジスタを備え、前記バイポーラトランジスタの前記ベースはMOSトランジスタの前記ドレインに結合され、
前記電圧シフト回路の前記第1の端子は前記第1のMOSトランジスタの前記ソースに結合され、前記電圧シフト回路の前記第2の端子は前記バイポーラトランジスタの前記コレクタに結合される、
請求項10に記載の方法。